(57)【要約】【課題】一度検索した見出し語の確認を簡便に行なうことのできる電子機器を提供する。【解決手段】電子辞書（１）は、互いに関連している複数の辞書コンテンツを含む関連コンテンツ群を格納するコンテンツ記憶部（４１）と、表示部（３）と、見出し語の検索指示を受ける入力部（２）と、検索指示により指定された辞書コンテンツにおいて、検索対象となる見出し語を検索する検索部（５０）と、第１英語辞典（４１ａ）において検索部（５０）が見出し語の検索を実行した場合に、検索された見出し語を共通の英単語帳データ（４２ａ）に登録し、第２英和辞典（４１ｂ）において検索部（５０）が見出し語の検索を実行した場合に、検索された見出し語を英単語帳データ（４２ａ）に登録する単語帳管理部（５１）と、英単語帳データ（４２ａ）に含まれる見出し語の一覧を示すリスト画面を表示部（３）に表示させる表示制御部（５２）とを備える。【選択図】図３
2018032199.tif 000002
【特許請求の範囲】
【請求項１】
互いに関連している複数の辞書コンテンツを含む関連コンテンツ群を格納するための記憶部を備え、前記複数の辞書コンテンツの各々は、複数の見出し語の各々について当該見出し語の意味を規定しており、さらに、
表示部と、
見出し語の検索指示を受けるための入力部と、
前記入力部が前記検索指示を受けた場合に、前記検索指示により指定された辞書コンテンツにおいて、検索対象となる見出し語を検索するための検索部と、
前記関連コンテンツ群の第１辞書コンテンツにおいて前記検索部が見出し語の検索を実行した場合に、当該第１辞書コンテンツから検索された見出し語を共通単語帳データに登録し、前記関連コンテンツ群の第２辞書コンテンツにおいて前記検索部が見出し語の検索を実行した場合に、当該第２辞書コンテンツから検索された見出し語を前記共通単語帳データに登録するための単語帳管理部と、
前記共通単語帳データに含まれる見出し語の一覧を示すリスト画面を前記表示部に表示させるための表示制御部とを備える、電子機器。
【請求項２】
前記単語帳管理部は、前記第１辞書コンテンツにおいて前記検索部が見出し語の検索を実行した場合に、第１検索履歴データに当該第１辞書コンテンツから検索された見出し語を登録し、前記第２辞書コンテンツにおいて前記検索部が見出し語の検索を実行した場合に、前記第１検索履歴データとは異なる第２検索履歴データに当該第２辞書コンテンツから検索された見出し語を登録し、
前記第１検索履歴データおよび前記第２検索履歴データは、前記共通単語帳データとは異なる、請求項１に記載の電子機器。
【請求項３】
前記入力部は、前記共通単語帳データに含まれる見出し語について、暗記したことを示す情報または暗記していないことを示す情報のいずれかである暗記情報の入力をさらに受けることができ、
前記共通単語帳データは、各見出し語と、当該見出し語に対して前記入力部が前記暗記情報を受けた回数とを対応付けたデータを含み、
前記リスト画面は、各見出し語についての前記回数を含む、請求項１または２に記載の電子機器。
【請求項４】
前記共通単語帳データは、各見出し語と、当該見出し語が検索された辞書コンテンツを識別するコンテンツ識別情報とを対応付けたデータを含み、
前記入力部は、前記リスト画面の中から一つの見出し語の選択指示をさらに受けることができ、
前記検索部は、前記入力部が前記選択指示を受けた場合、選択された見出し語に対応する前記コンテンツ識別情報で示される辞書コンテンツから、前記選択された見出し語に対応する意味を読み出し、
前記表示制御部は、前記検索部によって読み出された意味を表示する確認画面を前記表示部に表示させる、請求項１または２に記載の電子機器。
【請求項５】
前記表示制御部は、前記検索部によって読み出された意味の一部を表示する簡易画面を、前記確認画面として前記表示部に表示させ、
前記入力部は、前記簡易画面が表示されている状態において、前記選択された見出し語に対応する意味の全ての表示指示を受けることができ、
前記表示制御部は、前記入力部が前記選択された見出し語に対応する意味の全ての表示指示を受けた場合、前記検索部によって読み出された意味の全てを表示する詳細画面を、前記確認画面として前記表示部に表示させる、請求項４に記載の電子機器。
【請求項６】
前記確認画面は、前記選択された見出し語について、暗記したことを示す情報または暗記していないことを示す情報のいずれかである暗記情報の入力を促すための画像を含み、
前記入力部は、前記暗記情報の入力をさらに受けることができ、
前記共通単語帳データは、各見出し語と、当該見出し語に対して前記入力部が前記暗記情報を受けた回数とを対応付けたデータを含み、
前記リスト画面は、各見出し語についての前記回数を含む、請求項４または５に記載の電子機器。
【請求項７】
前記入力部は、前記共通単語帳データに含まれる見出し語の復習指示をさらに受けることができ、
前記表示制御部は、前記入力部が前記復習指示を受けた場合、復習画面を前記表示部に表示させ、
前記復習画面は、前記共通単語帳データから抽出された見出し語である復習対象語と、当該復習対象語について前記暗記情報の入力を促すための画像とを含む、請求項３に記載の電子機器。
【請求項８】
前記入力部は、前記復習対象語の意味の表示指示をさらに受けることができ、
前記共通単語帳データは、各見出し語と、当該見出し語が検索された辞書コンテンツを識別するコンテンツ識別情報とを対応付けたデータを含み、
前記検索部は、前記入力部が前記復習対象語の意味の表示指示を受けた場合、前記復習対象語に対応する前記コンテンツ識別情報で示される辞書コンテンツから、前記復習対象語に対応する意味を読み出し、
前記表示制御部は、前記入力部が前記復習対象語の意味の表示指示を受けた場合、確認画面を前記表示部に表示し、
前記確認画面は、前記検索部によって読み出された意味を表示するとともに、前記復習対象語について前記暗記情報の入力を促すための画像を含む、請求項７に記載の電子機器。
【請求項９】
前記表示制御部は、前記検索部によって読み出された意味の一部を表示する簡易画面を、前記確認画面として前記表示部に表示し、
前記入力部は、前記簡易画面が表示されている状態において、前記復習対象語に対応する意味の全ての表示指示を受けることができ、
前記表示制御部は、前記入力部が前記復習対象語に対応する意味の全ての表示指示を受けた場合、前記検索部によって読み出された意味の全てを表示する詳細画面を、前記確認画面として前記表示部に表示させる、請求項８に記載の電子機器。
【請求項１０】
前記表示制御部は、前記入力部が前記復習指示を受けた場合、前記共通単語帳データから所定数の前記復習対象語を抽出し、抽出した所定数の前記復習対象語の各々に対応する前記復習画面を前記表示部に順次表示させる、請求項７から９のいずれか１項に記載の電子機器。
【請求項１１】
前記表示制御部は、見出し語の前記共通単語帳データへの登録日時および前記回数の少なくとも一方に基づいて、前記共通単語帳データから前記復習対象語を抽出する、請求項１０に記載の電子機器。
【請求項１２】
前記暗記情報が暗記したことを示す情報である場合、前記表示制御部は、前記共通単語帳データから、前記回数が相対的に少ない見出し語を前記復習対象語として抽出し、
前記暗記情報が暗記していないことを示す情報である場合、前記表示制御部は、前記共通単語帳データから、前記回数が相対的に多い見出し語を前記復習対象語として抽出する、請求項１１に記載の電子機器。
【請求項１３】
前記表示制御部は、前記電子機器の起動時に、前記共通単語帳データに含まれる少なくとも１つの見出し語と、前記復習指示を入力するためのアイコンとを含むホーム画面を前記表示部に表示させる、請求項７から１２のいずれか１項に記載の電子機器。
【請求項１４】
互いに関連している複数の辞書コンテンツからなる関連コンテンツ群を格納するための記憶部と、表示部と、を備えた電子機器の制御方法であって、
前記複数の辞書コンテンツの各々は、複数の見出し語の各々について当該見出し語の意味を規定しており、
見出し語の検索指示を受けるステップと、
前記検索指示を受けた場合に、前記検索指示により指定された辞書コンテンツにおいて、検索対象となる見出し語を検索するステップと、
前記関連コンテンツ群の第１辞書コンテンツにおいて見出し語の検索を実行した場合に、当該第１辞書コンテンツから検索された見出し語を共通単語帳データに登録し、前記関連コンテンツ群の第２辞書コンテンツにおいて見出し語の検索を実行した場合に、当該第２辞書コンテンツから検索された見出し語を前記共通単語帳データに登録するステップと、
前記共通単語帳データに含まれる見出し語の一覧を示すリスト画面を前記表示部に表示させるステップとを備える、制御方法。
【発明の詳細な説明】
【技術分野】
【０００１】
本開示は、コンテンツの検索機能を備えた電子機器に関する。
【背景技術】
【０００２】
従来、コンテンツ（英和辞典など）を記憶した電子辞書が知られている。この電子辞書において、ユーザの学習支援のための様々な機能が開発されている。
【０００３】
例えば、特開２０１５−１７９２１４号公報（特許文献１）には、履歴機能と単語帳機能とを有する電子辞書が開示されている。
【０００４】
履歴機能は、検索した見出し語を履歴データとして自動的に保存し、履歴データの見出し語を表示する機能である。これにより、ユーザは、過去に調べた見出し語を履歴データから読み出して確認することができる。
【０００５】
単語帳機能は、覚えたい単語を単語帳データとして保存し、単語帳データに保存された単語を、紙の単語帳のように単語と訳とで切り換えて表示する機能である。これにより、ユーザは、所望の単語を学習できる。
【先行技術文献】
【特許文献】
【０００６】
【特許文献１】特開２０１５−１７９２１４号公報
【発明の概要】
【発明が解決しようとする課題】
【０００７】
しかしながら、従来の履歴機能では、コンテンツごとに履歴データが作成される。そのため、あるコンテンツで過去に調べた単語と、別のコンテンツで過去に調べた単語とを一括して確認することができない。例えば、電子辞書が２つの英和辞典のコンテンツを有している場合、いずれかの英和辞典で過去に調べた単語を確認したいとき、ユーザは、各英和辞典に対応する履歴データを順次確認する必要があり、不便であった。
【０００８】
また、従来の単語帳機能では、ユーザは、覚えたい単語を単語帳データに登録する操作が必要となる。そのため、一度検索した単語であっても単語帳データに登録することを忘れると、後で単語帳データを用いて学習するができず、不便であった。
【０００９】
本開示は、上述のような問題点を解決するためになされたものであって、ある局面における目的は、一度検索した見出し語の確認を簡便に行なうことのできる電子機器および制御方法を提供することにある。
【課題を解決するための手段】
【００１０】
本開示のある局面に従うと、電子機器は、互いに関連している複数の辞書コンテンツを含む関連コンテンツ群を格納するための記憶部を備える。前記複数の辞書コンテンツの各々は、複数の見出し語の各々について当該見出し語の意味を規定している。電子機器は、さらに、表示部と、見出し語の検索指示を受けるための入力部と、前記入力部が前記検索指示を受けた場合に、前記検索指示により指定された辞書コンテンツにおいて、検索対象となる見出し語を検索するための検索部と、前記関連コンテンツ群の第１辞書コンテンツにおいて前記検索部が見出し語の検索を実行した場合に、当該第１辞書コンテンツから検索された見出し語を共通単語帳データに登録し、前記関連コンテンツ群の第２辞書コンテンツにおいて前記検索部が見出し語の検索を実行した場合に、当該第２辞書コンテンツから検索された見出し語を前記共通単語帳データに登録するための単語帳管理部と、前記共通単語帳データに含まれる見出し語の一覧を示すリスト画面を前記表示部に表示させるための表示制御部とを備える。
【発明の効果】
【００１１】
本開示のある局面において、一度検索した見出し語の確認を簡便に行なうことができる。
【図面の簡単な説明】
【００１２】
【図１】実施の形態１に係る電子辞書の外観を表した図である。
【図２】実施の形態１に係る電子辞書のハードウェア構成を示した図である。
【図３】実施の形態１に係る電子辞書の機能的構成を説明するための機能ブロック図である。
【図４】英単語帳データの一例を示す図である。
【図５】電子辞書における単語帳データへの見出し語の登録処理の流れを示すフローチャートである。
【図６】検索部による見出し語の検索例を示す図である。
【図７】単語帳リストの表示処理の流れを示すフローチャートである。
【図８】リスト画面の一例を示す図である。
【図９】英単語帳データに登録された見出し語の意味の表示処理の流れを示すフローチャートである。
【図１０】見出し語の意味の表示処理において表示される画面の一例を示す図である。
【図１１】英単語帳データに登録された見出し語の復習処理の流れを示すフローチャートである。
【図１２】登録された見出し語の復習処理において表示される画面の一例を示す図である。
【図１３】ホーム画面の一例を示す図である。
【図１４】実施の形態４に係る電子辞書の機能的構成を説明するための機能ブロック図である。
【発明を実施するための形態】
【００１３】
以下、図面を参照しつつ、本発明の各実施の形態に係る電子機器について説明する。また、以下の説明では、同一の部材には同一の参照符号を付してある。それらの名称および機能も同じである。したがって、それらについての詳細な説明は繰り返さない。
【００１４】
以下では、電子機器の一例として、電子辞書を説明する。ただし、電子機器は、電子辞書に限定されるものではなく、複数の辞書コンテンツを記憶しており、各辞書コンテンツ内で見出し語の検索ができるものであればよい。たとえば、電子機器は、電子辞書機能を有するスマートフォン、タブレット等の各種の機器であってもよい。見出し語とは、辞書コンテンツにおいて、項目として設定された語または句であり、一定の順序で配列されている。
【００１５】
［実施の形態１］
＜ハードウェア構成＞
図１は、実施の形態１に係る電子辞書の外観を表した図である。図１を参照して、電子辞書１は、タッチスクリーン１０５と、複数の操作キー１０７とを備える。タッチスクリーン１０５は、ディスプレイとタッチパネルとを含んで構成される。タッチパネルは、ユーザの指、スタイラスペン９等による入力を受ける。
【００１６】
図２は、電子辞書１のハードウェア構成を示した図である。図２を参照して、電子辞書１は、プログラムを実行するＣＰＵ（Central Processing Unit）１０１と、データを不揮発的に格納するＲＯＭ（Read Only Memory）１０２と、データを揮発的に格納するＲＡＭ（Random Access Memory）１０３と、フラッシュメモリ１０４と、タッチスクリーン１０５と、スピーカ１０６と、電子辞書１のユーザによる指示の入力を受ける操作キー１０７と、通信ＩＦ（Interface）１０８と、ＩＣ（Integrated Circuit）カードリーダライタ１０９と、電源ユニット１１０とを備える。
【００１７】
タッチスクリーン１０５は、表示装置としての矩形状のディスプレイ１０５１と、入力装置としてのタッチパネル１０５２とにより構成される。具体的には、タッチスクリーン１０５は、ディスプレイ１０５１（たとえば液晶ディスプレイ）上にタッチパネル１０５２を位置決めした上で固定することにより実現される。なお、タッチスクリーンは、タッチパネルディスプレイ、タッチパネル付きディスプレイ、あるいはタッチパネルモニタとも称される。タッチスクリーン１０５は、タッチ位置の検出方法として、たとえば抵抗膜方式または静電容量方式を用いることができる。
【００１８】
フラッシュメモリ１０４は、不揮発性の半導体メモリである。フラッシュメモリ１０４は、ＣＰＵ１０１が実行するオペレーティングシステムおよび各種のプログラム１０４１、各種のコンテンツおよびデータを格納している。また、フラッシュメモリ１０４は、電子辞書１が生成したデータ、電子辞書１の外部装置から取得したデータ等の各種データを記憶する。
【００１９】
フラッシュメモリ１０４は、たとえば、辞書コンテンツとして、複数種類の英和辞典を記憶している。また、フラッシュメモリ１０４は、上記データとして、後述する単語帳データを記憶する。
【００２０】
スピーカ１０６は、ＣＰＵ１０１からの指令に応じて音を発生させる。通信ＩＦ１０８は、他の装置と通信を行なうための用いられるインターフェースである。通信ＩＦ１０８は、無線および／または有線にてデータを送信するための処理を行なう。
【００２１】
タッチパネル１０５２は、ユーザの指およびスタイラスペン９等による入力（タッチ入力）を受ける入力デバイスである。ＣＰＵ１０１は、タッチパネル１０５２からの出力に基づいて入力位置を特定し、当該特定した入力位置に基づいた画面表示を行なう。
【００２２】
各構成要素１０１〜１１０は、相互にデータバスによって接続されている。ＩＣカードリーダライタ１０９には、メモリカード１０９１が装着される。
【００２３】
電子辞書１における処理は、各ハードウェアおよびＣＰＵ１０１により実行されるプログラム１０４１によって実現される。プログラム１０４１は、フラッシュメモリ１０４に予め記憶されている場合がある。また、プログラム１０４１は、メモリカード１０９１その他の記憶媒体に格納されて、プログラムプロダクトとして流通している場合もある。あるいは、プログラム１０４１は、いわゆるインターネットに接続されている情報提供事業者によってダウンロード可能なプログラムプロダクトとして提供される場合もある。このようなプログラム１０４１は、ＩＣカードリーダライタ１０９その他の読取装置によりその記憶媒体から読み取られて、あるいは、通信ＩＦを介してダウンロードされた後、フラッシュメモリ１０４に一旦格納される。プログラム１０４１は、ＣＰＵ１０１によってフラッシュメモリ１０４から読み出され、さらにフラッシュメモリ１０４に実行可能な形式で格納される。
【００２４】
同図に示される電子辞書１を構成する各構成要素は、一般的なものである。したがって、実施の形態１の本質的な部分は、フラッシュメモリ１０４、メモリカード１０９１その他の記憶媒体に格納されたプログラム１０４１、あるいはネットワークを介してダウンロード可能なプログラム１０４１であるともいえる。なお、電子辞書１の各ハードウェアの動作は周知であるので、詳細な説明は繰り返さない。
【００２５】
なお、記録媒体としては、ＤＶＤ-ＲＯＭ、ＣＤ−ＲＯＭ、ＦＤ（Flexible Disk）、ハードディスクに限られず、磁気テープ、カセットテープ、光ディスク（ＭＯ（Magnetic Optical Disc）／ＭＤ（Mini Disc）／ＤＶＤ（Digital Versatile Disc））、光カード、マスクＲＯＭ、ＥＰＲＯＭ（Electronically Programmable Read-Only Memory）、ＥＥＰＲＯＭ（Electronically Erasable Programmable Read-Only Memory）、フラッシュＲＯＭなどの半導体メモリ等の固定的にプログラムを担持する媒体でもよい。また、記録媒体は、当該プログラム等をコンピュータが読取可能な一時的でない媒体である。
【００２６】
ここでいうプログラム１０４１とは、ＣＰＵ１０１により直接実行可能なプログラムだけでなく、ソースプログラム形式のプログラム、圧縮処理されたプログラム、暗号化されたプログラム等を含む。
【００２７】
＜機能的構成＞
図３は、電子辞書１の機能的構成を説明するための機能ブロック図である。図３を参照して、電子辞書１は、入力部２と、表示部３と、記憶部４と、制御部５とを備えている。
【００２８】
入力部２は、ユーザによる入力を受ける。入力部２は、受けた入力に基づく指令を制御部５に送る。入力部２は、図２のタッチパネル１０５２、操作キー１０７に対応する。
【００２９】
表示部３は、ユーザへ情報を提示するための画面やユーザ操作を促す画面などを表示する。表示部３は、図２のディスプレイ１０５１に対応する。
【００３０】
記憶部４は、オペレーティングシステム、アプリケーションプログラム、複数のコンテンツ、および各種のデータを記憶している。記憶部４は、図２のＲＯＭ１０２、ＲＡＭ１０３、フラッシュメモリ１０４に対応する。記憶部４は、コンテンツ記憶部４１と、単語帳記憶部４２と、検索履歴記憶部４３とを有する。
【００３１】
コンテンツ記憶部４１は、第１英和辞典４１ａ、第２英和辞典４１ｂ、第３英和辞典４１ｃ等の複数の辞書コンテンツを予め記憶している。なお、記憶部４には、外部から新たなコンテンツを記憶させることが可能である。
【００３２】
コンテンツ記憶部４１は、互いに関連している複数の辞書コンテンツからなる関連コンテンツ群を記憶している。ここでは、第１英和辞典４１ａ、第２英和辞典４１ｂおよび第３英和辞典４１ｃが関連コンテンツ群を構成する。第１英和辞典４１ａ、第２英和辞典４１ｂおよび第３英和辞典４１ｃは、いずれも英和辞典であるが、編集者、見出し語の数等が異なる。
【００３３】
コンテンツ記憶部４１が記憶する辞書コンテンツは、複数の見出し語の各々と、当該見出し語の意味とを対応付けたデータである。１つの見出し語が複数の意味を示す場合、辞書コンテンツは、当該見出し語と当該複数の意味とを対応付けている。
【００３４】
単語帳記憶部４２は、関連コンテンツ群に含まれる複数の辞書コンテンツに共通の、ユーザが過去に検索した見出し語の一覧を示す情報を共通単語帳データ（以下、単に単語帳データという場合がある）として記憶している。単語帳記憶部４２は、関連コンテンツ群ごとに単語帳データを割り当てる。実施の形態１において、単語帳記憶部４２は、第１英和辞典４１ａ、第２英和辞典４１ｂおよび第３英和辞典４１ｃからなる関連コンテンツ群について、英単語帳データ４２ａが生成される。
【００３５】
図４は、英単語帳データの一例を示す図である。図４を参照して、英単語帳データ４２ａは、登録された見出し語と、表示番号と、当該見出し語が検索された辞書コンテンツを識別するコンテンツ識別情報と、登録日時と、暗記回数とを対応付けた情報である。
【００３６】
図３に戻って、検索履歴記憶部４３は、各辞書コンテンツについて、当該辞書コンテンツにおいて検索された見出し語の一覧を示す検索履歴データを記憶する。検索履歴記憶部４３は、第１英和辞典４１ａに対応する第１履歴データ４３ａ、第２英和辞典４１ｂに対応する第２履歴データ４３ｂ、第３英和辞典４１ｃに対応する第３履歴データ４３ｃ等を記憶する。
【００３７】
制御部５は、電子辞書１の全体の動作を制御する。制御部５は、図２のＣＰＵ１０１による演算処理によって実現される。制御部５は、検索部５０と、単語帳管理部５１と、表示制御部５２とを備える。
【００３８】
検索部５０は、入力部２が受けた検索指示に従って、指定された辞書コンテンツから検索対象となる見出し語の検索を行なう。
【００３９】
単語帳管理部５１は、各関連コンテンツ群に対応する単語帳記憶部４２が記憶する単語帳データ（本実施の形態１では英単語帳データ４２ａ）と、各辞書コンテンツに対応する検索履歴データとの管理を行なう。
【００４０】
単語帳管理部５１は、新たな辞書コンテンツがコンテンツ記憶部４１に格納されると、当該辞書コンテンツに対応する検索履歴データを生成し、生成した検索履歴データを検索履歴記憶部４３に格納する。
【００４１】
単語帳管理部５１は、新たな関連コンテンツ群を構成する複数の辞書コンテンツがコンテンツ記憶部４１に格納されると、当該関連コンテンツ群に属する辞書コンテンツに対して共通する単語帳データ（共通単語帳データ）を生成し、生成した単語帳データを単語帳記憶部４２に格納する。
【００４２】
単語帳管理部５１は、検索部５０がある辞書コンテンツにおいて見出し語の検索を実行した場合、当該辞書コンテンツに対応する検索履歴データに、検索した見出し語を登録する。さらに、検索された辞書コンテンツが関連コンテンツ群に属する場合、単語帳管理部５１は、当該関連コンテンツ群に対応する単語帳データに、検索した見出し語を登録する。
【００４３】
表示制御部５２は、表示部３における表示を制御する。つまり、表示制御部５２は、入力部２が受けた指示に従って、タッチスクリーン１０５のディスプレイ１０５１の表示を制御する。表示制御部５２は、電子辞書１の向きに応じて、矩形状のディスプレイ１０５１の長辺が横方向となる横画面と、長辺が縦方向となる縦画面とを切り替える。表示制御部５２による処理の例については後述する。
【００４４】
＜処理の内容と表示例＞
以下に、電子辞書１における処理の概要および表示部３の表示内容の例について、図５〜図１２を参照しながら説明する。
【００４５】
＜見出し語の登録処理＞
図５は、電子辞書１における単語帳データへの見出し語の登録処理の流れを示すフローチャートである。
【００４６】
まず、単語帳管理部５１は、いずれかの辞書コンテンツにおいて検索部５０が見出し語の検索を実行したか判断する（ステップＳ１）。
【００４７】
検索部５０が見出し語の検索を実行した場合（ステップＳ１でＹＥＳ）、単語帳管理部５１は、検索された見出し語を、当該辞書コンテンツに対応する検索履歴データに登録する（ステップＳ２）。
【００４８】
次に、単語帳管理部５１は、検索範囲である辞書コンテンツが関連コンテンツ群に属するコンテンツか否か判断する（ステップＳ３）。
【００４９】
単語帳管理部５１は、単語帳データと、当該単語帳データに対応する関連コンテンツ群に属する辞書コンテンツを識別するコンテンツ識別情報とを対応付けた情報も管理している。単語帳管理部５１は、当該情報を確認することで、辞書コンテンツが関連コンテンツ群に属するコンテンツか否か判断する。
【００５０】
検索範囲である辞書コンテンツが関連コンテンツ群に属する場合（ステップＳ２でＹＥＳ）、単語帳管理部５１は、当該関連コンテンツ群に対応する単語帳データに、検索対象である見出し語が既に登録されているか判断する（ステップＳ４）。以下では、検索範囲である辞書コンテンツが属する関連コンテンツ群に対応する単語帳データが英単語帳データ４２ａであるとする。
【００５１】
見出し語がまだ英単語帳データ４２ａに登録されていない場合（ステップＳ４でＮＯ）、単語帳管理部５１は、検索対象である見出し語を英単語帳データ４２ａに登録する（ステップＳ５）。具体的には、単語帳管理部５１は、検索対象である見出し語と、表示番号と、検索範囲である辞書コンテンツを識別するコンテンツ識別情報と、現在の日時を示す登録日時と、０回を示す暗記回数とを対応付けたレコードを英単語帳データ４２ａに追加する。
【００５２】
このとき、単語帳管理部５１は、英単語帳データ４２ａに登録済の表示番号の最大値に１だけ加算した番号を、新たな登録する見出し語の表示番号とする。これにより、後述するソート処理が行なわれない場合、表示番号は、登録された順に割り振られる。
【００５３】
その後、ステップＳ１に処理が戻される。また、ステップＳ１でＮｏの場合、ステップＳ３でＮＯの場合、およびステップＳ４でＹＥＳの場合もステップＳ１に処理が戻される。
【００５４】
図６は、検索部５０による見出し語の検索例を示す図である。図６（ａ）は、検索部５０が第１英和辞典４１ａに含まれる見出し語の中から検索対象となる見出し語を選択するための画面例を示している。
【００５５】
図６（ａ）に示す画面において、選択された検索対象の見出し語の意味の表示指示を入力部２が受けると（例えば、見出し語が選択された状態で決定を示す操作キー１０７が押下されると）、検索部５０は、検索対象の見出し語（図６では「ｈａｖｅ」）に対応する意味を、第１英和辞典４１ａから読み出し、読み出した意味を表示制御部５２に出力する。その結果、表示制御部５２は、図６（ｃ）に示されるように、検索部５０から受けた意味を示す画面を表示部３に表示させる。
【００５６】
図６（ｂ）は、コンテンツ記憶部４１が記憶する全ての辞書コンテンツの中から、検索対象となる見出し語「ｈａｖｅ」を含む辞書コンテンツを選択するための画面例を示している。
【００５７】
図６（ｂ）に示す画面において、辞書コンテンツの選択指示を入力部２が受けると、検索部５０は、選択されたコンテンツから、検索対象の見出し語（「ｈａｖｅ」）に対応する意味を読み出し、読み出した意味を表示制御部５２に出力する。ここで、選択された辞書コンテンツが第１英和辞典４１ａである場合、表示制御部５２は、図６（ｃ）に示されるように、検索部５０から受けた意味を示す画面を表示部３に表示させる。
【００５８】
図６（ｄ）は、あるコンテンツ（ここでは、カタカナ入力辞典）の内容が表示部３に表示されている状態において、当該内容に含まれる語を検索対象の見出し語とし、当該見出し語（図では「ｈａｖｅ」）を含む辞書コンテンツを選択するための画面例を示している。カタカナ入力辞典は、カタカナ（日本語の表音文字）と、当該カタカナで示される音に対応する英単語と、当該英単語の日本語の意味とを対応付けたコンテンツである。
【００５９】
図６（ｄ）に示す画面において、辞書コンテンツの選択指示を入力部２が受けると、検索部５０は、選択された辞書コンテンツ（ここでは、第１英和辞典４１ａ）から、検索対象の見出し語（「ｈａｖｅ」）に対応する意味を読み出し、読み出した意味を表示制御部５２に出力する。このとき、表示制御部５２は、図６（ｅ）に示されるように、検索部５０から受けた意味を示す画面を、表示部３の一部の領域に表示させる。
【００６０】
このように、辞書コンテンツから検索部５０が見出し語に対応する意味を読み出し、読み出された意味を示す画面が表示部３に表示されたことをもって、単語帳管理部５１は、検索部５０が見出し語の検索を実行したと判断する。
【００６１】
このようにして、電子辞書１は、関連コンテンツ群に属する辞書コンテンツ（第１英和辞典４１ａ、第２英和辞典４１ｂおよび第３英和辞典４１ｃ）のうちのいずれかの辞書コンテンツにおいて見出し語が検索された場合、辞書コンテンツに対応する検索履歴データに当該見出し語が登録されるとともに、関連コンテンツ群に対応する英単語帳データ４２ａにも当該見出し語が登録される。そのため、第１英和辞典４１ａ、第２英和辞典４１ｂおよび第３英和辞典４１ｃのいずれかにおいて過去に検索した見出し語を確認したい場合、ユーザは、英単語帳データ４２ａのみを確認すればよい。
【００６２】
＜単語帳リストの表示処理＞
次に、電子辞書１における、単語帳データに登録された見出し語の一覧を示すリスト画面の表示処理の概要について説明する。
【００６３】
図８は、リスト画面の一例を示す図である。なお、図８（ａ）は、横画面の場合のリスト画面を示し、（ｂ）は、縦画面の場合のリスト画面を示す。
【００６４】
図８を参照して、リスト画面６０は、例えば、見出し語の一覧を示す領域６１と、各見出し語の暗記回数（図８（ａ）では「覚えた回数」と記す）を示す領域６２と、見出し語のソート指示を入力するためのボタン６３と、見出し語の意味の表示指示を入力するためのボタン６４と、登録済の見出し語の復習開始の指示を入力するためのボタン６５と、決定ボタン６６と、画面を戻す指示を入力するためのボタン６７と、ホーム画面への遷移指示を入力するためのボタン６８と、領域６１においてカーソル位置にある見出し語の表示位置を示す領域６９とを含む。
【００６５】
ここで、ホーム画面とは、電子辞書１の起動時に表示される画面であり、各種の機能を起動するためのアイコンが配置された画面である。
【００６６】
図８において、リスト画面６０は、見出し語の確認のために利用される。そのため、見出し語の意味の表示指示を入力するためのボタン６４と、登録済の見出し語の復習開始の指示を入力するためのボタン６５とが押下される頻度が高い。そのため、リスト画面６０において、ボタン６４およびボタン６５は、最も押しやすい位置に配置される。すなわち、横画面では、ボタン６４およびボタン６５がリスト画面６０の右側に配置され、右手で押しやすくなる。また、縦画面では、ボタン６４およびボタン６５がリスト画面下側に横に並べて配置される。
【００６７】
領域６９には、領域６１においてカーソル位置にある見出し語の表示番号と、登録されている見出し語の全数とが表示される。これにより、ユーザは、英単語帳データ４２ａに登録されている見出し語の全数と、領域６１においてカーソル位置にある見出し語の上に表示される見出し語の個数と、領域６１においてカーソル位置にある見出し語の下に表示される見出し語の個数とを把握することができる。
【００６８】
なお、表示制御部５２は、英単語帳データ４２ａに登録されている見出し語の全てを領域６１に表示できない場合、一部のみを領域６１に表示し、スクロールボタン６０ａへの操作に応じて画面をスクロールさせる。これにより、ユーザは、登録されている見出し語の全てを確認することができる。
【００６９】
図７は、単語帳リストの表示処理の流れを示すフローチャートである。まず、表示制御部５２は、入力部２が単語帳リストの表示指示を受けたか否かを判断する（ステップＳ１１）。なお、入力部２は、各種の機能の一覧を示す画面が表示部３に表示されている状態において、単語帳リストの表示指示を受け付け可能である。入力部２が単語帳リストの表示指示を受けていない場合（ステップＳ１１でＮＯ）、再度ステップＳ１１に処理が戻される。
【００７０】
入力部２が単語帳リストの表示指示を受けた場合（ステップＳ１１でＹＥＳ）、表示制御部５２は、単語帳記憶部４２から指定された単語帳データを読み出す。以下では、図３に示す英単語帳データ４２ａが指定されたとする。そして、表示制御部５２は、読み出した英単語帳データ４２ａに含まれる見出し語と暗記回数とを示すリスト画面を表示部３に表示させる（ステップＳ１２）。
【００７１】
このとき、表示制御部５２は、英単語帳データ４２ａの表示番号に従って、英単語帳データ４２ａに登録されている見出し語を並べたリスト画面を表示させる。
【００７２】
ステップＳ１２の後に、表示制御部５２は、入力部２が見出し語のソート指示を受けたか否か判断する（ステップＳ１３）。表示制御部５２は、例えば、図８に示すボタン６３が押下された場合に、見出し語のソート指示が入力されたと判断する。
【００７３】
見出し語のソート指示を受けた場合（ステップＳ１３でＹＥＳ）、単語帳管理部５１は、英単語帳データ４２ａの表示番号を更新する。そして、表示制御部５２は、更新された表示番号に従って見出し語を並べた一覧を含むリスト画面６０を表示部３に表示させる（ステップＳ１４）。
【００７４】
例えば、暗記回数の昇順または降順でのソート指示を受けた場合、単語帳管理部５１は、英単語帳データ４２ａの暗記回数に基づいて、英単語帳データ４２ａの表示番号を変更する。このとき、同じ暗記回数の見出し語が複数存在する場合、単語帳管理部５１は、登録日時の古い見出し語ほど小さい表示番号になるように、英単語帳データ４２ａの表示番号を変更する。
【００７５】
また、登録日時の昇順または降順でのソート指示を受けた場合、表示制御部５２は、英単語帳データ４２ａの登録日時に基づいて、英単語帳データ４２ａの表示番号を変更する。
【００７６】
電子辞書１における処理は、ステップＳ１４の後にステップＳ１５に移される。また、見出し語のソート指示を受けていない場合（ステップＳ１３でＮＯ）もステップＳ１５に処理が移される。
【００７７】
ステップＳ１５において、表示制御部５２は、対象となる見出し語について意味の表示指示を入力部２が受けたか否か判断する。表示制御部５２は、例えば図８に示すリスト画面６０において、ボタン６４またはボタン６６が押下された場合に、領域６１においてカーソル位置にある見出し語に対する意味の表示指示が入力されたと判断する。
【００７８】
見出し語の意味の表示指示の入力を受けた場合（ステップＳ１５でＹＥＳ）、表示制御部５２は、当該見出し語の意味を示す確認画面を表示部３に表示させる（ステップＳ１６）。ステップＳ１６の詳細については後述する。
【００７９】
次に、電子辞書１における処理は、ステップＳ１７に移される。また、見出し語の意味の表示指示の入力を受けていない場合（ステップＳ１５でＮＯ）もステップＳ１７に処理が移される。
【００８０】
ステップＳ１７において、表示制御部５２は、登録済の見出し語の復習開始の指示を入力部２が受けたか否か判断する。表示制御部５２は、例えば図８に示すリスト画面６０において、ボタン６５が押下された場合に、復習開始の指示が入力されたと判断する。
【００８１】
復習開始の指示を入力部２が受けた場合（ステップＳ１７でＹＥＳ）、表示制御部５２は、登録済の見出し語の復習処理を実行する（ステップＳ１８）。ステップＳ１８の詳細については後述する。
【００８２】
次に、電子辞書１における処理は、ステップＳ１９に移される。また、復習開始の指示の入力を受けていない場合（ステップＳ１７でＮＯ）もステップＳ１９に処理が移される。
【００８３】
ステップＳ１９において、表示制御部５２は、他の画面への遷移指示を入力部２が受けたか否か判断する。表示制御部５２は、例えば図８に示すリスト画面６０において、ボタン６７またはボタン６８が押下された場合に、他の画面への遷移指示が入力されたと判断する。
【００８４】
他の画面への遷移指示を入力部２が受けた場合（ステップＳ１９でＹＥＳ）、表示制御部５２は、指示に応じた画面を表示部３に表示し（ステップＳ２０）、リスト画面６０の表示処理を終了する。
【００８５】
例えば、ステップＳ１９でボタン６７が押下された場合、表示制御部５２は、ステップＳ１１の処理時の画面を表示部３に表示させる。また、ステップＳ１９でボタン６８が押下された場合、表示制御部５２は、ホーム画面を表示部３に表示させる。
【００８６】
一方、他の画面への遷移指示の入力を受けていない場合（ステップＳ１９でＮＯ）、ステップＳ１３に処理が戻される。
【００８７】
＜見出し語の意味の表示処理＞
図９は、図７のステップＳ１６における、英単語帳データ４２ａに登録された見出し語の意味の表示処理の流れを示すフローチャートである。図１０は、見出し語の意味の表示処理において表示される画面の一例を示す図である。なお、図１０（ａ）の画面は、図８（ｂ）の画面と同一である。
【００８８】
図９と図１０とを参照して、図１０（ａ）に示されるようなリスト画面６０において、見出し語の意味の表示指示を入力するためのボタン６４が押下されると、電子辞書１は、図９に示すステップＳ１６１の処理を実行する。
【００８９】
ステップＳ１６１において、検索部５０は、対象となる見出し語に対応するコンテンツ識別情報を英単語帳データ４２ａから読み出す。検索部５０は、読み出したコンテンツ識別情報で示される辞書コンテンツから、対象となる見出し語に対応付けられた意味を読み出し、読み出した意味を表示制御部５２に出力する。表示制御部５２は、検索部５０により読み出された意味の一部（例えば、先頭の所定数の文字）を表示対象とする。なお、表示制御部５２は、対象となる見出し語に複数の意味が対応付けられている場合、各意味について一部（例えば、先頭の所定数の文字）を表示対象とする。
【００９０】
そして、表示制御部５２は、見出し語の意味を示す確認画面として、表示対象（つまり、辞書コンテンツから読み出した意味の一部）を示す簡易画面を表示部３に表示させる。
【００９１】
図１０（ｂ）は、簡易画面の一例を示す図である。図１０（ｂ）を参照して、表示制御部５２は、辞書コンテンツから読み出した意味の一部を示す領域７５と、暗記したことを示す情報を入力するためのボタン（図では、「知ってる」と記されたボタン）７１と、まだ暗記できていないことを示す情報を入力するためのボタン（図では、「知らない」と記されたボタン）７２と、削除指示を入力するためのボタン７３と、決定ボタン６６と、画面を戻す指示を入力するためのボタン６７とを含む簡易画面７０を表示部３に表示させる。
【００９２】
なお、表示制御部５２は、表示対象（つまり、辞書コンテンツから読み出された意味の一部）の全てを領域７５に同時に表示できない場合、表示対象の一部のみを領域７５に表示し、スクロールボタン７６への操作に応じて画面をスクロールさせる。これにより、表示制御部５２は、表示対象の全てを表示することができる。
【００９３】
図９に戻って、ステップＳ１６１の後に、表示制御部５２は、詳細画面への遷移指示を入力部２が受けたか否か判断する（ステップＳ１６２）。表示制御部５２は、例えば図１０（ｂ）に示す簡易画面７０において、領域７５に表示されている文字がタップされた場合、または、決定ボタン６６が押下された場合に、詳細画面への遷移指示が入力されたと判断する。
【００９４】
詳細画面への遷移指示を入力部２が受けた場合（ステップＳ１６２でＹＥＳ）、表示制御部５２は、見出し語の意味を示す確認画面として、検索部５０によって読み出された意味の全てを表示対象とする詳細画面を表示部３に表示させる（ステップＳ１６３）。
【００９５】
図１０（ｃ）は、詳細画面の一例を示す図である。図１０（ｃ）を参照して、表示制御部５２は、表示対象（つまり、辞書コンテンツから読み出した意味の全て）を示す領域８１と、暗記済であることを入力するためのボタン７１と、まだ暗記できていないことを入力するためのボタン７２と、削除指示を入力するためのボタン７３と、決定ボタン６６と、画面を戻す指示を入力するためのボタン６７とを含む詳細画面８０を表示部３に表示させる。
【００９６】
なお、表示制御部５２は、表示対象（つまり、辞書コンテンツから読み出した意味の全て）を領域８１に同時に表示できない場合、表示対象の一部のみを領域８１に表示し、スクロールボタン７６への操作に応じて画面をスクロールさせる。これにより、表示制御部５２は、表示対象の全てを表示することができる。
【００９７】
図９に戻って、ステップＳ１６３の後、ステップＳ１６４に処理が移される。また、詳細画面への遷移指示を入力部２が受けていない場合も（ステップＳ１６２でＮＯ）、ステップＳ１６４に処理が移される。
【００９８】
ステップＳ１６４において、表示制御部５２は、暗記済であることを入力するためのボタン（図１０において「知ってる」と記されたボタン）７１が押下されたか否か判断する。
【００９９】
ボタン７１が押下された場合（ステップＳ１６４でＹＥＳ）、単語帳管理部５１は、英単語帳データ４２ａにおいて、対象となる見出し語に対応する暗記回数を１だけ増やす（ステップＳ１６５）。
【０１００】
ボタン７１が押下されない場合（ステップＳ１６４でＮＯ）、表示制御部５２は、削除指示を入力するためのボタン７３が押下されたか否か判断する（ステップＳ１６６）。
【０１０１】
ボタン７３が押下された場合（ステップＳ１６６でＹＥＳ）、単語帳管理部５１は、英単語帳データ４２ａから、対象となる見出し語と当該見出し語に対応する情報とを削除する（ステップＳ１６７）。
【０１０２】
ボタン７３が押下されない場合（ステップＳ１６６でＮＯ）、表示制御部５２は、リスト画面への遷移指示を入力部２が受けたか否か判断する（ステップＳ１６８）。表示制御部５２は、例えば図１０（ｂ）または図１０（ｃ）に示す画面において、ボタン７２またはボタン６７が押下された場合に、リスト画面への遷移指示が入力されたと判断する。
【０１０３】
リスト画面への遷移指示を入力部２が受けていない場合（ステップＳ１６８でＮＯ）、ステップＳ１６２に処理が戻される。
【０１０４】
リスト画面への遷移指示を入力部２が受けた場合（ステップＳ１６８でＹＥＳ）、表示制御部５２は、図１０（ａ）に示されるリスト画面６０を表示する（ステップＳ１６９）。ステップＳ１６５およびステップＳ１６７の後にも、表示制御部５２は、リスト画面６０を表示する（ステップＳ１６９）。ステップＳ１６９の後、図７に示すステップＳ１７に処理が戻される。
【０１０５】
なお、ステップＳ１６５において英単語帳データ４２ａの暗記回数が更新されるが、表示番号は更新されない。そのため、ステップＳ１６９において表示されるリスト画面６０における見出し語の表示順は、ステップＳ１６１の直前に表示されていたリスト画面６０と同じである。その結果、ユーザは、混乱することなくリスト画面６０を再確認することができる。
【０１０６】
以上のように、リスト画面６０の見出し語の意味の表示指示が入力された場合、まず簡易画面７０が表示される。そのため、ユーザは、簡易画面７０を見ることで、見出し語の意味の概要を即座に確認できる。特に、リスト画面６０で表示される見出し語は、ユーザが一度検索した語句である。したがって、ユーザにとっては、詳細画面８０ではなく簡易画面７０の方が内容を確認しやすい場合が多い。
【０１０７】
また、ユーザは、簡易画面７０だけでは不十分と判断した場合に、詳細画面８０への遷移指示を入力することで、見出し語の意味の全てを確認することができる。
【０１０８】
＜登録済の見出し語の復習処理＞
図１１は、図７のステップＳ１８における、英単語帳データ４２ａに登録された見出し語の復習処理の流れを示すフローチャートである。図１２は、登録された見出し語の復習処理において表示される画面の一例を示す図である。なお、図１２（ａ）の画面は、図８（ｂ）の画面と同一である。
【０１０９】
図１１と図１２とを参照して、図１２（ａ）に示されるようなリスト画面６０において、登録済の見出し語の復習開始の指示を入力するためのボタン６５が押下されると、表示制御部５２は、図１１に示すステップＳ１８１の処理を実行する。
【０１１０】
ステップＳ１８１において、表示制御部５２は、英単語帳データ４２ａに登録されている複数の見出し語の中から、所定数（例えば１０個）の見出し語を復習対象語としてランダムに抽出する。なお、英単語帳データ４２ａに登録されている見出し語の個数が所定数未満である場合、表示制御部５２は、登録されている全ての見出し語を復習対象語とする。
【０１１１】
次に、表示制御部５２は、ステップＳ１８１で抽出した復習対象語の１つを含む復習画面を表示する（ステップＳ１８２）。
【０１１２】
図１２（ｂ）は、復習画面の一例を示す図である。図１２（ｂ）を参照して、表示制御部５２は、復習対象語の１つが記された領域９１と、暗記済であることを入力するためのボタン７１と、まだ暗記できていないことを入力するためのボタン７２と、削除指示を入力するためのボタン７３と、見出し語の意味の表示指示を入力するためのボタン６４とを含む復習画面９０を表示部３に表示させる。
【０１１３】
図１１に戻って、ステップＳ１８２の後に、表示制御部５２は、見出し語の意味を示す確認画面への遷移指示を入力部２が受けたか否か判断する（ステップＳ１８３）。表示制御部５２は、例えば図１２（ｂ）に示す復習画面９０においてボタン６４が押下された場合に、見出し語の意味を示す確認画面への遷移指示が入力されたと判断する。
【０１１４】
確認画面への遷移指示を入力部２が受けた場合（ステップＳ１８３でＹＥＳ）、表示制御部５２は、確認画面として、例えば図１２（ｃ）に示される簡易画面７０を表示部３に表示させる（ステップＳ１８４）。なお、ステップＳ１８４の処理は、図９のステップＳ１６１と同じであり、図１２（ｃ）に示す簡易画面７０は、図１０（ｂ）に示す簡易画面７０と同じである。
【０１１５】
図１１に戻って、ステップＳ１８４の後、または確認画面への遷移指示を入力部２が受けない場合（ステップＳ１８３でＮＯ）、表示制御部５２は、詳細画面への遷移指示の入力を入力部２が受けたか否か判断する（ステップＳ１８５）。表示制御部５２は、例えば図１２（ｃ）に示す簡易画面７０において、領域７５に表示されている文字がタップされた場合、または、決定ボタン６６が押下された場合に、詳細画面への遷移指示が入力されたと判断する。
【０１１６】
詳細画面への遷移指示の入力を受けた場合（ステップＳ１８５でＹＥＳ）、表示制御部５２は、見出し語の意味を示す確認画面として、例えば図１２（ｄ）に示されるような詳細画面８０を表示部３に表示させる（ステップＳ１８６）。なお、ステップＳ１８６の処理は、図９のステップＳ１６３と同じであり、図１２（ｄ）に示す詳細画面８０は、図１０（ｃ）に示す詳細画面８０と同じである。
【０１１７】
図１１に戻って、ステップＳ１８６の後、または詳細画面への遷移指示の入力を受けない場合（ステップＳ１８５でＮＯ）、表示制御部５２は、復習画面９０、簡易画面７０および詳細画面８０のいずれかにおいて、暗記済であることを入力するためのボタン７１が押下されたか否か判断する（ステップＳ１８７）。
【０１１８】
ボタン７１が押下された場合（ステップＳ１８７でＹＥＳ）、単語帳管理部５１は、英単語帳データ４２ａにおいて、対象となる見出し語に対応する暗記回数を１だけ増やす（ステップＳ１８８）。
【０１１９】
ボタン７１が押下されない場合（ステップＳ１８７でＮＯ）、表示制御部５２は、復習画面９０、簡易画面７０および詳細画面８０のいずれかにおいて、削除指示を入力するためのボタン７３が押下されたか否か判断する（ステップＳ１８９）。
【０１２０】
ボタン７３が押下された場合（ステップＳ１８９でＹＥＳ）、単語帳管理部５１は、英単語帳データ４２ａから、Ｓ１８２で表示した復習画面に記された見出し語と当該見出し語に対応する情報とを削除する（ステップＳ１９０）。
【０１２１】
ボタン７３が押下されない場合（ステップＳ１８９でＮＯ）、表示制御部５２は、復習画面９０、簡易画面７０および詳細画面８０のいずれかにおいて、まだ暗記できていないことを入力するためのボタン７２が押下されたか否か判断する（ステップＳ１９１）。
【０１２２】
ボタン７２が押下されない場合（ステップＳ１９１でＮＯ）、ステップＳ１８３に処理が戻される。
【０１２３】
ボタン７２が押下された場合（ステップＳ１９１でＹＥＳ）、ステップＳ１９２に処理が移される。また、ステップＳ１８８およびステップＳ１９０の次にも、ステップＳ１９２に処理が移される。
【０１２４】
ステップＳ１９２において、表示制御部５２は、ステップＳ１８１で抽出された復習対象語のうち、まだ復習画面９０の表示をしていない残りの見出し語があるか否か判断する。
【０１２５】
残りの見出し語がある場合（ステップＳ１９２でＹＥＳ）、表示制御部５２は、残りの見出し語のうちの１つについて、再度ステップＳ１８２に処理が戻される。
【０１２６】
一方、残りの見出し語がない場合、つまり、所定数の復習対象語の全てについてステップＳ１８２〜Ｓ１９１の処理が完了した場合（ステップＳ１９２でＮＯ）、表示制御部５２は、図１２（ａ）に示すようなリスト画面６０を表示する（ステップＳ１９３）。ステップＳ１９３の後、図７に示すステップＳ１９に処理が戻される。
【０１２７】
なお、ステップＳ１８８において英単語帳データ４２ａの暗記回数が更新されるが、表示番号は更新されない。そのため、ステップＳ１９３において表示されるリスト画面６０における見出し語の表示順は、ステップＳ１８１の直前に表示されていたリスト画面６０と同じである。その結果、ユーザは、混乱することなくリスト画面６０を再確認することができる。
【０１２８】
以上のように、ユーザは、復習開始の指示を入力すると、リスト画面６０から抽出された所定数の見出し語の復習を行なうことができる。
【０１２９】
［実施の形態２］
本発明の別の実施の形態２に係る電子辞書は、上記の実施の形態１に係る電子辞書の変形例である。
【０１３０】
実施の形態１では、表示制御部５２は、登録済の見出し語の復習開始の指示が入力された場合、図１１のステップＳ１８１において、所定数の復習対象語を英単語帳データ４２ａからランダムに抽出する。これに対し、実施の形態２では、表示制御部５２は、暗記回数および登録日時の少なくとも一方に基づいて、英単語帳データ４２ａから所定数の復習対象語を抽出する。
【０１３１】
例えば、表示制御部５２は、図１１のステップＳ１８１において、暗記回数の少ない所定数の復習対象語を英単語帳データ４２ａから抽出してもよい。すなわち、表示制御部５２は、英単語帳データ４２ａに含まれる見出し語を対応する暗記回数が少ない順に並べたときの上位の所定数の見出し語を復習対象語とする。これにより、ユーザは、暗記回数の少ない見出し語について復習することができる。
【０１３２】
なお、最少の暗記回数に対応する見出し語が所定数を超えて存在する場合、表示制御部５２は、最少の暗記回数に対応する見出し語の中からランダムに復習対象語を抽出する。もしくは、表示制御部５２は、最少の暗記回数に対応する見出し語の中から、登録日時の古い所定数の復習対象語を抽出してもよい。もしくは、表示制御部５２は、最少の暗記回数に対応する見出し語の中から、登録日時の新しい所定数の復習対象語を抽出してもよい。
【０１３３】
また、表示制御部５２は、図１１のステップＳ１８１において、登録日時の古い所定数の復習対象語を英単語帳データ４２ａから抽出してもよい。すなわち、表示制御部５２は、英単語帳データ４２ａに含まれる見出し語を対応する登録日時の古い順に並べたときの上位の所定数の見出し語を復習対象語とする。登録日時の古い見出し語は、なかなか暗記できない語句である可能性が高い。そのため、ユーザは、暗記し難い見出し語について復習することができる。
【０１３４】
また、表示制御部５２は、図１１のステップＳ１８１において、登録日時の新しい所定数の復習対象語を英単語帳データ４２ａから抽出してもよい。すなわち、表示制御部５２は、英単語帳データ４２ａに含まれる見出し語を対応する登録日時の新しい順に並べたときの上位の所定数の見出し語を復習対象語とする。登録日時の新しい見出し語は、学習したばかりの語句であり、まだ暗記できていない可能性が高い。これにより、ユーザは、最近学習したばかりの見出し語について復習することができる。
【０１３５】
また、単語帳管理部５１は、簡易画面および詳細画面のいずれかにおいて、まだ暗記できていないことを入力するためのボタン７２が押下された回数を英単語帳データ４２ａに含ませてもよい。この場合、表示制御部５２は、図１１のステップＳ１８１において、ボタン７２が押下された回数が相対的に多い所定数の復習対象語を英単語帳データ４２ａから抽出してもよい。すなわち、表示制御部５２は、英単語帳データ４２ａに含まれる見出し語をボタン７２が押下された回数が多い順に並べたときの上位の所定数の見出し語を復習対象語とする。これにより、ユーザは、暗記し難い見出し語について復習することができる。
【０１３６】
［実施の形態３］
本発明の別の実施の形態３に係る電子辞書１は、上記の実施の形態１に係る電子辞書１の変形例である。
【０１３７】
実施の形態１の電子辞書１は、図１２（ａ）に示されるようなリスト画面６０においてボタン６５が押下されたときに、図１１に示す復習処理を行なう。これに対し、実施の形態３の電子辞書１は、登録済の見出し語の復習開始の指示を入力するためのアイコン（以下、復習開始アイコンという）をホーム画面に含ませ、復習開始アイコンが押下されたときに、図１１に示す復習処理を行なう。これにより、ユーザは、ホーム画面において復習開始の指示を入力することができ、見出し語の復習を即座に開始することができる。
【０１３８】
図１３は、ホーム画面の一例を示す図である。図１３を参照して、表示制御部５２は、復習開始アイコン９６を含むホーム画面９５を表示部３に表示させる。なお、図１３（ａ）は、横画面の場合のホーム画面９５を示し、（ｂ）は、縦画面の場合のホーム画面９５を示す。
【０１３９】
また、表示制御部５２は、図１３に示されるように、復習開始アイコン９６の中に、英単語帳データ４２ａに登録されている１つの見出し語（図では「ｓｐａｒｅ」）を表示することが好ましい。以下、復習開始アイコン９６の中に表示される見出し語を代表ワードという。これにより、ユーザは、復習開始アイコン９６を見ることで、復習開始アイコン９６の中の代表ワードの意味を思い出すように促される。その結果、電子辞書１は、ユーザに対して、登録済の見出し語の復習を促すことができる。
【０１４０】
表示制御部５２は、復習開始アイコン９６が押下された場合、図１１のステップＳ１８１において、復習開始アイコン９６に表示されていた代表ワードを含む所定数の復習対象語を抽出する。
【０１４１】
また、表示制御部５２は、暗記回数および登録日時の少なくとも一方に基づいて、英単語帳データ４２ａから、復習開始アイコン９６の中に表示する代表ワードを選択することが好ましい。
【０１４２】
例えば、表示制御部５２は、暗記回数が最少の見出し語を代表ワードとして選択してもよい。これにより、電子辞書１は、暗記し難い見出し語に対する復習をユーザに促すことができる。
【０１４３】
なお、最少の暗記回数に対応する見出し語が複数存在する場合、表示制御部５２は、最少の暗記回数に対応する見出し語の中からランダムに選択した見出し語を代表ワードとする。もしくは、表示制御部５２は、最少の暗記回数に対応する見出し語のうち、登録日時の最も古い見出し語を代表ワードとしてもよい。もしくは、表示制御部５２は、最少の暗記回数に対応する見出し語のうち、登録日時の最も新しい見出し語を代表ワードとしてもよい。
【０１４４】
また、表示制御部５２は、登録日時の最も古い見出し語を代表ワードとして選択してもよい。登録日時の古い見出し語は、なかなか暗記できない語句である可能性が高い。そのため、電子辞書１は、暗記し難い見出し語に対する復習をユーザに促すことができる。
【０１４５】
また、表示制御部５２は、登録日時の最も新しい見出し語を代表ワードとして選択してもよい。登録日時の新しい見出し語は、学習したばかりの語句であり、まだ暗記できていない可能性が高い。これにより、電子辞書１は、暗記し難い見出し語に対する復習をユーザに促すことができる。
【０１４６】
また、単語帳管理部５１は、単語帳データに含まれる各見出し語について、復習対象語として抽出された回数を管理してもよい。表示制御部５２は、復習対象語として抽出された回数が最少の見出し語の中から代表ワードを選択してもよい。これにより、復習できていない見出し語に対する復習を促すことができる。
【０１４７】
もしくは、表示制御部５２は、暗記回数を復習対象語として抽出された回数で割った値が最少値の見出し語を、代表ワードとして抽出してもよい。この場合、代表ワードとして、復習を行ってもなかなか暗記できない語句が選択されるため、ユーザに対する復習を促すことができる。
【０１４８】
また、単語帳管理部５１は、見出し語画面、簡易画面および詳細画面のいずれかにおいて、まだ暗記できていないことを入力するためのボタン７２が押下された回数を、見出し語ごとに管理してもよい。この場合、表示制御部５２は、ボタン７２が押下された回数が最多の見出し語の中から代表ワードを選択してもよい。これにより、ユーザが暗記し難い見出し語に対する復習をユーザに促すことができる。
【０１４９】
表示制御部５２は、単語帳データから複数の代表ワードを選択し、選択した複数の代表ワードを復習開始アイコン９６の中に表示してもよい。
【０１５０】
上記の説明では、表示制御部５２は、復習開始アイコン９６の中に代表ワードを表示するとしたが、復習開始アイコン９６の外部に代表ワードを表示してもよい。
【０１５１】
［実施の形態４］
図１４は、実施の形態４に係る電子辞書の機能的構成を説明するための機能ブロック図である。図１４を参照して、実施の形態４に係る電子辞書１ａは、実施の形態１に係る電子辞書１（図３参照）と比較して、制御部５の代わりに制御部５ａを備える点でのみ相違する。また、制御部５ａは、制御部５と比較して、付加情報管理部５３を含む点でのみ相違する。
【０１５２】
付加情報管理部５３は、コンテンツに対して、付加情報を付加する処理、および、すでに付加されている付加情報を変更する処理を行なう。変更する処理には、当該付加情報を削除する処理が含まれ、さらに、付加情報を削除する処理には、付加情報全体を削除する処理と、一部を削除する処理とが含まれる。
【０１５３】
付加情報とは、たとえば、コンテンツにおける「しおり」情報、「付箋」情報、および「マーカー」情報などが該当する。具体的には、付加情報は、付加情報の種類と、付加された情報の内容と、その情報が付加されているコンテンツの位置（ページなど）とが含まれる。
【０１５４】
付加情報管理部５３は、付加情報を付加する場合、新規に生成した付加情報をコンテンツと対応付けてコンテンツ記憶部４１に格納する。付加情報管理部５３は、付加情報を変更する場合、コンテンツ記憶部４１に格納されている、変更対象となる付加情報を更新する。
【０１５５】
付加情報管理部５３は、辞書コンテンツの見出し語または意味を表示している状態において、入力部２が受けた入力に従って、付加情報に関する処理を実行する。すなわち、付加情報管理部５３は、検索部５０による検索結果を示す画面（図６（ｃ）（ｅ））だけでなく、リスト画面６０から遷移された画面である、復習画面９０（図１２（ｂ）参照）、簡易画面７０（図１０（ｂ）または図１２（ｃ）参照）または詳細画面８０（図１０（ｃ）または図１２（ｄ）参照）が表示された状態において、付加情報に関する処理を実行する。
【０１５６】
例えば、付加情報管理部５３は、入力部２に新たなマーカーの付加指示が入力された場合、指定された箇所に指定された色のマーカーを付加するための付加情報を生成し、生成した付加情報をコンテンツ記憶部４１に格納する。このとき、付加情報管理部５３は、表示部３に表示されている見出し語または意味を含むコンテンツと対応付けて付加情報をコンテンツ記憶部４１に格納する。
【０１５７】
また、付加情報管理部５３は、すでに付加されているマーカーの削除もしくはマーカーの色の変更などの指示が入力部２に入力された場合、コンテンツ記憶部４１が記憶する付加情報を更新する。
【０１５８】
表示制御部５２は、コンテンツの見出し語および意味を表示する際、当該コンテンツに対応付けられた付加情報を確認し、付加情報で示される位置に、付加情報で示される内容を表示する。
【０１５９】
これにより、ユーザは、英単語帳データ４２ａに登録された見出し語の復習を行なっているときに、コンテンツにおいて特に注意すべき箇所にマーカーや付箋等を付加することができる。
【０１６０】
［実施の形態５］
本発明の別の実施の形態５に係る電子辞書１は、上記の実施の形態１に係る電子辞書１の変形例である。
【０１６１】
実施の形態１の電子辞書１は、第１英和辞典４１ａ〜第３英和辞典４１ｃを備え、当該３つの英和辞典に対して、英単語帳データ４２ａを記憶する。
【０１６２】
これに対し、実施の形態５に係る電子辞書１は、上記の第１英和辞典４１ａ〜第３英和辞典４１ｃに加えて、複数の和英辞典を備え、当該複数の和英辞典に対して、日本語の見出し語を含む単語帳データを記憶する。
【０１６３】
その他、電子辞書１は、ある１つの言語（例えば、中国語、韓国語など）の見出し語と、当該見出し語の意味とが対応付けられた辞典を複数備え、当該複数の辞典に対して単語帳データを記憶していてもよい。
【０１６４】
また、電子辞書１は、１つの言語から別の言語へ単語や句を翻訳した辞典に限らず、同一の言語について、ある見出し語と、当該見出し語の意味とが対応付けられた辞典を複数備え、当該複数の辞典に対して単語帳データを記憶していてもよい。
【０１６５】
さらに、電子辞書１は、第１英和辞典４１ａ〜第３英和辞典４１ｃに対して、複数の英単語帳データを記憶してもよい。例えば、電子辞書１は、単語を見出し語とする第１単語帳データと、句（熟語）を見出し語とする第２単語帳データとの２つを記憶してもよい。この場合、単語帳管理部５１は、検索部５０が第１英和辞典４１ａ〜第３英和辞典４１ｃにおいて単語を検索した場合、当該単語を第１単語帳データに登録し、検索部５０が第１英和辞典４１ａ〜第３英和辞典４１ｃにおいて句を検索した場合、当該句を第２単語帳データに登録する。
【０１６６】
［実施の形態６］
本発明の別の実施の形態６に係る電子辞書１は、上記の実施の形態１に係る電子辞書１の変形例である。
【０１６７】
実施の形態１の単語帳管理部５１は、削除指示を入力するためのボタン７３（図１０および図１２参照）が押下された場合に、英単語帳データ４２ａから見出し語を削除する。これに対し、実施の形態６に係る電子辞書１では、単語帳管理部５１は、ボタン７３が押下された場合に加えて、暗記回数が所定回数（例えば４回）を超えた場合に、英単語帳データ４２ａから見出し語を削除する。
【０１６８】
暗記回数が所定回数を超えた場合、ユーザにとって再度復習する必要性が少ない見出し語である。そのため、上記の構成にすることにより、電子辞書１は、英単語帳データ４２ａから暗記済の見出し語の削除処理を自動的に実行することができる。これにより、ユーザは、ボタン７３の押下操作の手間を省くことができる。
【０１６９】
［実施の形態７］
本発明の別の実施の形態７に係る電子辞書１は、上記の実施の形態１に係る電子辞書１の変形例である。
【０１７０】
実施の形態１の表示制御部５２は、リスト画面６０から遷移された画面である、復習画面９０（図１２（ｂ）参照）、簡易画面７０（図１０（ｂ）または図１２（ｃ）参照）または詳細画面８０（図１０（ｃ）または図１２（ｄ）参照）において、暗記済であることを入力するためのボタン７１と、まだ暗記できていないことを入力するためのボタン７２と、削除指示を入力するためのボタン７３とを表示する。
【０１７１】
これに対し、実施の形態７に係る電子辞書１では、表示制御部５２は、リスト画面６０（図８、図１０（ａ）または図１２（ａ）参照）においても、ボタン７１と、ボタン７２と、ボタン７３とを表示する。
【０１７２】
リスト画面６０のボタン７１が押下された場合、単語帳管理部５１は、リスト画面６０の領域６１においてカーソル位置に表示されている見出し語に対応する暗記回数を１だけ増やすように、英単語帳データ４２ａを更新する。また、表示制御部５２は、リスト画面６０の領域６１のカーソル位置を１つ下の見出し語に移動させる。
【０１７３】
リスト画面６０のボタン７２が押下された場合、表示制御部５２は、リスト画面６０の領域６１のカーソル位置を１つ下の見出し語に移動させる。
【０１７４】
リスト画面６０のボタン７３が押下された場合、単語帳管理部５１は、リスト画面６０の領域６１においてカーソル位置に表示されている見出し語に対応するレコードを英単語帳データ４２ａから削除する。また、表示制御部５２は、リスト画面６０の領域６１のカーソル位置を１つ下の見出し語に移動させる。
【０１７５】
これにより、ユーザは、リスト画面６０を確認しながら、各見出し語を暗記したか否かを示す情報を入力する操作、および暗記済の見出し語を削除する操作を行なうことができる。
【０１７６】
［付記］
（１）以上のように、本開示のある局面に従うと、電子辞書１，１ａ等の電子機器は、互いに関連している複数の辞書コンテンツ（第１英和辞典４１ａ、第２英和辞典４１ｂおよび第３英和辞典４１ｃ）を含む関連コンテンツ群を格納するためのコンテンツ記憶部４１を備え、複数の辞書コンテンツの各々は、複数の見出し語の各々について当該見出し語の意味を規定している。さらに、電子辞書１，１ａ等の電子機器は、表示部３と、見出し語の検索指示を受けるための入力部２と、入力部２が検索指示を受けた場合に、検索指示により指定された辞書コンテンツにおいて、検索対象となる見出し語を検索するための検索部５０と、関連コンテンツ群の第１辞書コンテンツにおいて検索部５０が見出し語の検索を実行した場合に、当該第１辞書コンテンツから検索された見出し語を共通単語帳データ（例えば、英単語帳データ４２ａ）に登録し、関連コンテンツ群の第２辞書コンテンツにおいて検索部５０が見出し語の検索を実行した場合に、当該第２辞書コンテンツから検索された見出し語を共通単語帳データに登録するための単語帳管理部５１と、共通単語帳データに含まれる見出し語の一覧を示すリスト画面（例えば、図８に示すリスト画面６０）を表示部３に表示させるための表示制御部５２とを備える。
【０１７７】
上記の構成によれば、単語帳管理部５１は、検索部５０が検索した見出し語を自動的に共通単語帳データに登録する。そのため、ユーザは、共通単語帳データに登録する操作を行なう必要がない。
【０１７８】
また、単語帳管理部５１は、複数のコンテンツからなる関連コンテンツ群に属するコンテンツに対して検索部５０が検索した見出し語を、共通単語帳データに登録する。そのため、ユーザは、関連コンテンツ群に属する複数の辞書コンテンツにおいて検索した見出し語を、共通単語帳データにおいて容易に確認することができる。
【０１７９】
これにより、一度検索した見出し語の確認を簡便に行なうことのできる電子辞書１，１ａ等の電子機器を実現することができる。
【０１８０】
好ましくは、単語帳管理部５１は、第１辞書コンテンツ（例えば、第１英和辞典４１ａ）において検索部５０が見出し語の検索を実行した場合に、第１検索履歴データ（例えば、第１履歴データ４３ａ）に当該第１辞書コンテンツから検索された見出し語を登録し、第２辞書コンテンツ（例えば、第２英和辞典４１ｂ）において検索部５０が見出し語の検索を実行した場合に、第１検索履歴データとは異なる第２検索履歴データ（例えば、第２履歴データ４３ｂ）に当該第２辞書コンテンツから検索された見出し語を登録する。第１検索履歴データおよび第２検索履歴データは、共通単語帳データとは異なる。
【０１８１】
上記の構成によれば、電子機器は、関連コンテンツ群に対して管理される共通単語帳データとは別に、辞書コンテンツごとに管理される検索履歴データを管理する。これにより、ユーザは、辞書コンテンツにおいて過去に検索した見出し語を確認したい場合、検索履歴データを確認するか、共通単語帳データを確認するか、状況に応じて適宜選択することができる。
【０１８２】
好ましくは、入力部２は、共通単語帳データに含まれる見出し語について、暗記したことを示す情報または暗記していないことを示す情報のいずれかである暗記情報の入力をさらに受けることができる。共通単語帳データは、各見出し語と、当該見出し語に対して入力部２が暗記情報を受けた回数とを対応付けたデータを含む。リスト画面は、各見出し語についての回数を含む。
【０１８３】
上記の構成によれば、ユーザは、リスト画面を確認することで、各見出し語の暗記の程度を把握することができる。
【０１８４】
好ましくは、共通単語帳データは、各見出し語と、当該見出し語が検索された辞書コンテンツを識別するコンテンツ識別情報とを対応付けたデータを含む。入力部２は、リスト画面の中から一つの見出し語の選択指示をさらに受けることができる。検索部５０は、入力部２が選択指示を受けた場合、選択された見出し語に対応するコンテンツ識別情報で示される辞書コンテンツから、選択された見出し語に対応する意味を読み出す。表示制御部５２は、検索部５０によって読み出された意味を表示する確認画面を表示部３に表示させる。
【０１８５】
例えば、表示制御部５２は、検索部５０によって読み出された意味の一部を表示する簡易画面（例えば、図１０に示す簡易画面７０）を確認画面として表示部３に表示させる。入力部２は、簡易画面が表示されている状態において、選択された見出し語に対応する意味の全ての表示指示を受けることができる。表示制御部５２は、入力部２が選択された見出し語に対応する意味の全ての表示指示を受けた場合、検索部５０によって読み出された意味の全てを表示する詳細画面（例えば、図１０に示す詳細画面８０）を、確認画面として表示部３に表示させる。
【０１８６】
上記の構成によれば、ユーザは、リスト画面に含まれる見出し語について、当該見出し語の意味を容易に確認することができる。
【０１８７】
好ましくは、確認画面は、選択された見出し語について、暗記したことを示す情報または暗記していないことを示す情報のいずれかである暗記情報の入力を促すための画像を含む。入力部２は、暗記情報の入力をさらに受けることができる。共通単語帳データは、各見出し語と、当該見出し語に対して入力部２が暗記情報を受けた回数とを対応付けたデータを含む。リスト画面は、各見出し語についての回数を含む。
【０１８８】
上記の構成によれば、ユーザは、リスト画面を確認することで、各見出し語の暗記の程度を把握することができる。
【０１８９】
好ましくは、入力部２は、共通単語帳データに含まれる見出し語の復習指示をさらに受けることができる。表示制御部５２は、入力部２が復習指示を受けた場合、復習画面（例えば、図１２の復習画面９０）を表示部３に表示させる。復習画面は、共通単語帳データから抽出された見出し語である復習対象語と、当該復習対象語について暗記情報の入力を促すための画像（例えば、図１２のボタン７１）とを含む。
【０１９０】
上記の構成によれば、電子辞書１，１ａ等の電子機器は、共通単語帳データに含まれる見出し語について、暗記したことを示す情報または暗記していないことを示す情報を入力部２から取得しやすくなる。また、ユーザは、共通単語帳データに含まれる見出し語について、復習することができる。
【０１９１】
好ましくは、入力部２は、復習対象語の意味の表示指示をさらに受けることができる。共通単語帳データは、各見出し語と、当該見出し語が検索された辞書コンテンツを識別するコンテンツ識別情報とを対応付けたデータを含む。検索部５０は、入力部２が復習対象語の意味の表示指示を受けた場合、復習対象語に対応するコンテンツ識別情報で示される辞書コンテンツから、復習対象語に対応する意味を読み出す。表示制御部５２は、入力部２が復習対象語の意味の表示指示を受けた場合、確認画面を表示部３に表示させる。確認画面は、検索部５０によって読み出された意味を表示するとともに、復習対象語について暗記情報の入力を促すための画像（例えば、図１２のボタン７１）を含む。
【０１９２】
例えば、表示制御部５２は、検索部５０によって読み出された意味の一部を表示する簡易画面（例えば、図１２の簡易画面７０）を、確認画面として表示部３に表示させる。入力部２は、簡易画面が表示されている状態において、復習対象語に対応する意味の全ての表示指示を受けることができる。表示制御部５２は、入力部２が復習対象語に対応する意味の全ての表示指示を受けた場合、検索部５０によって読み出された意味の全てを表示する詳細画面（例えば、図１２の詳細画面８０）を、確認画面として表示部３に表示させる。
【０１９３】
上記の構成によれば、ユーザは、意味を確認することで、復習対象語を暗記できているか否かを判断でき、その判断結果を示す暗記情報を入力することができる。
【０１９４】
好ましくは、表示制御部５２は、入力部２が復習指示を受けた場合、共通単語帳データから所定数の復習対象語を抽出し、抽出した所定数の復習対象語の各々に対応する復習画面を表示部３に順次表示させる。
【０１９５】
上記の構成によれば、ユーザは、復習指示を入力部２に入力することで、所定数の見出し語の復習を順次行なうことができる。
【０１９６】
好ましくは、表示制御部５２は、見出し語の共通単語帳データへの登録日時および暗記情報が入力された回数の少なくとも一方に基づいて、共通単語帳データから復習対象語を抽出する。
【０１９７】
例えば、暗記情報が暗記したことを示す情報である場合、表示制御部５２は、共通単語帳データから、暗記情報が入力された回数が相対的に少ない見出し語を復習対象語として抽出し、暗記情報が暗記していないことを示す情報である場合、表示制御部５２は、共通単語帳データから、暗記情報が入力された回数が相対的に多い見出し語を復習対象語として抽出する。これにより、ユーザは、まだ十分に暗記できていない見出し語について復習することができる。
【０１９８】
好ましくは、表示制御部５２は、電子辞書１，１ａ等の電子機器の起動時に、共通単語帳データに含まれる見出し語（代表ワード）と、復習指示を入力するための復習開始アイコン９６とを含むホーム画面９５を表示部３に表示させる。
【０１９９】
上記の構成によれば、電子辞書１，１ａ等の電子機器は、ユーザに対して、共通単語帳データに含まれる見出し語の復習を促すことができる。また、ユーザは、ホーム画面９５の中の見出し語を見ることで、当該見出し語の意味を無意識に考えるようになる。その結果、電子辞書１，１ａ等の電子機器は、共通単語帳データに登録されている見出し語の復習をユーザに促しやすくなる。
【０２００】
好ましくは、表示制御部５２は、入力部２が暗記情報を受けた回数および見出し語の共通単語帳データへの登録日時の少なくとも一方に基づいて、共通単語帳データから、ホーム画面９５に表示する見出し語を抽出する。
【０２０１】
例えば、暗記情報が暗記したことを示す情報である場合、表示制御部５２は、共通単語帳データから、入力部２が暗記情報を受けた回数が相対的に少ない見出し語を、ホーム画面９５に表示する見出し語として抽出する。また、暗記情報が暗記していないことを示す情報である場合、表示制御部５２は、共通単語帳データから、入力部２が暗記情報を受けた回数が相対的に多い見出し語をホーム画面９５に表示する見出し語として抽出する。これにより、電子辞書１，１ａ等の電子機器は、暗記し難い見出し語に対する復習をユーザに促すことができる。
【０２０２】
好ましくは、入力部２は、見出し語の意味の確認画面（例えば、図１０、図１２に示す簡易画面７０および詳細画面８０）が表示部３に表示されている状態において、確認画面に表示される、指定された見出し語の意味の少なくとも一部に対して、付加情報を付加する指示をさらに受けることができる。電子辞書１，１ａ等の電子機器は、入力部２が付加情報を付加する指示を受けた場合に、当該指示に従って付加情報を生成し、生成した付加情報を、指定された見出し語の意味を規定する辞書コンテンツと対応付けて管理する付加情報管理部５３をさらに備える。
【０２０３】
上記の構成によれば、ユーザは、確認画面で確認した意味の中において気になる箇所に付加情報を付加することができる。なお、付加情報とは、「しおり」情報、「付箋」情報、および「マーカー」情報などである。
【０２０４】
好ましくは、単語帳管理部５１は、入力部２が暗記情報を受けた回数が所定数を超えた場合、当該回数に対応する見出し語を、共通単語帳データから削除する。
【０２０５】
上記の構成によれば、電子辞書１は、復習回数の多い見出し語を共通単語帳データから自動的に削除することができる。
【０２０６】
（２）電子辞書１等の電子機器で実行される制御方法について記載すると、以下のとおりである。
【０２０７】
制御方法は、互いに関連している複数の辞書コンテンツを含む関連コンテンツ群を格納するためのコンテンツ記憶部４１と、表示部３とを備えた電子機器において実行される。
【０２０８】
上記制御方法は、（i）見出し語の検索指示を受けるステップと、（ii）検索指示を受けた場合に、検索指示により指定された辞書コンテンツにおいて、検索対象となる見出し語を検索するステップと、（iii）関連コンテンツ群の第１辞書コンテンツにおいて見出し語の検索を実行した場合に、当該第１辞書コンテンツから検索された見出し語を共通単語帳データに登録し、関連コンテンツ群の第２辞書コンテンツにおいて見出し語の検索を実行した場合に、当該第２辞書コンテンツから検索された見出し語を共通単語帳データに登録するステップと、（iv）共通単語帳データに含まれる見出し語の一覧を示すリスト画面を表示部３に表示させるステップとを備える。
【０２０９】
（３）以下のプログラムを電子機器に実行させることにより、上述した制御方法を実現することができる。
【０２１０】
プログラムは、互いに関連している複数の辞書コンテンツを含む関連コンテンツ群を格納するためのコンテンツ記憶部４１と、表示部３とを備えた電子機器のコンピュータに情報処理方法を実行させるためのプログラムである。
【０２１１】
上記の情報処理方法は、（i）見出し語の検索指示を受けるステップと、（ii）検索指示を受けた場合に、検索指示により指定された辞書コンテンツにおいて、検索対象となる見出し語を検索するステップと、（iii）関連コンテンツ群の第１辞書コンテンツにおいて見出し語の検索を実行した場合に、当該第１辞書コンテンツから検索された見出し語を共通単語帳データに登録し、関連コンテンツ群の第２辞書コンテンツにおいて見出し語の検索を実行した場合に、当該第２辞書コンテンツから検索された見出し語を共通単語帳データに登録するステップと、（iv）共通単語帳データに含まれる見出し語の一覧を示すリスト画面を表示部３に表示させるステップとを備える。
【０２１２】
今回開示された実施の形態は例示であって、上記内容のみに制限されるものではない。本発明の範囲は特許請求の範囲によって示され、特許請求の範囲と均等の意味および範囲内でのすべての変更が含まれることが意図される。
【符号の説明】
【０２１３】
１，１ａ  電子辞書、２  入力部、３  表示部、４  記憶部、５，５ａ  制御部、４１  コンテンツ記憶部、４１ａ  第１英和辞典、４１ｂ  第２英和辞典、４１ｃ  第３英和辞典、４２  単語帳記憶部、４２ａ  英単語帳データ、４３  検索履歴記憶部、４３ａ  第１履歴データ、４３ｂ  第２履歴データ、４３ｃ  第３履歴データ、５０  検索部、５１  単語帳管理部、５２  表示制御部、５３  付加情報管理部、６０  リスト画面、７０  簡易画面、８０  詳細画面、９０  復習画面、９５  ホーム画面、９６  復習開始アイコン、１０４  フラッシュメモリ、１０５  タッチスクリーン、１０７  操作キー、１０５１  ディスプレイ、１０５２  タッチパネル。
【図１】
2018032199.tif 000003
【図２】
2018032199.tif 000004
【図３】
2018032199.tif 000005
【図４】
2018032199.tif 000006
【図５】
2018032199.tif 000007
【図６】
2018032199.tif 000008
【図７】
2018032199.tif 000009
【図８】
2018032199.tif 000010
【図９】
2018032199.tif 000011
【図１０】
2018032199.tif 000012
【図１１】
2018032199.tif 000013
【図１２】
2018032199.tif 000014
【図１３】
2018032199.tif 000015
【図１４】
2018032199.tif 000016